(57)【要約】【課題】撮影した順序や枚数などによらず、任意の枚数の静止画を任意の順番に再生すること。【解決手段】撮影された静止画データを複数記憶するメモリカード３２と、記憶されている複数の静止画データの中から、任意の静止画データを選択するとともに、この選択された静止画の順番を任意に指定するキー入力部３７と、選択及び指定された情報をプレイリストとして複数記憶するメモリカード３２と、記憶されている複数のプレイリストの中から任意のプレイリストを指定して再生を指示する制御部２５と、プレイリストの指定と共に再生が指示された場合に、該プレイリストで指定された静止画を、指定された順番でメモリカード３２から逐次読み出す制御部２５と、逐次読み出される各静止画データを、切り換えながら逐次表示する制御部２５とを具備する。【選択図】        図１
2006186932.tif 000002
【特許請求の範囲】
【請求項１】
撮影された静止画データを複数記憶する静止画記憶手段と、
前記記憶されている複数の静止画データの中から、任意の静止画データを選択するとともに、この選択された静止画の読み出し順番を任意に指定する指定手段と、
前記指定手段により選択及び指定された情報をプレイリストとして複数記憶するプレイリスト記憶手段と、
前記プレイリスト記憶手段に記憶されている複数のプレイリストの中から任意のプレイリストを指定して再生を指示する再生指示手段と、
前記再生指示手段によりプレイリストの指定と共に再生が指示された場合に、該プレイリストで指定された静止画を、指定された順番で前記静止画記憶手段から逐次読み出す読み出し手段と、
前記読み出し手段により逐次読み出される各静止画データを、切り換えながら逐次表示する表示手段と、
を具備することを特徴とする静止画再生装置。
【請求項２】
前記指定手段は、ユーザによる進む／戻るの指示を含み、前記読み出し手段は、ユーザによる進む／戻るの指示操作に応じて、プレイリストで指定される静止画を指定される順番で読み出し、前記表示手段は、逐次読み出される各静止画データを、ユーザによる進む／戻るの指示操作に応じて切り換えながら逐次表示することを特徴とする請求項１記載の静止画再生装置。
【請求項３】
前記表示手段は、前記読み出し手段により逐次読み出される各静止画データを、予め設定された所定の時間間隔で切り換えながら逐次表示することを特徴とする請求項１記載の静止画再生装置。
【請求項４】
前記指定手段は、プレイリストに含まれる各静止画毎にその再生時間を指定し、前記表示手段は、前記読み出し手段によって逐次読み出される静止画データを、各静止画毎に指定される時間の間表示した後に、次の静止画を表示することを特徴とする請求項１記載の静止画再生装置。
【請求項５】
前記表示手段は、設定対象となるプレイリストに含まれる静止画の一部または全体を、その再生順がわかるようにプレイリスト設定画面上に表示するとともに、該プレイリストへの追加候補となる複数の静止画を前記プレイリスト設定画面上に表示し、ユーザが該プレイリストに追加する静止画と、その挿入位置を前記プレイリスト設定画面上で指定することを促すことを特徴とする請求項１記載の静止画再生装置。
【請求項６】
音声データを複数記憶する音声記憶手段をさらに具備し、前記プレイリスト記憶手段は、前記指定手段により選択した音声データの指定情報をプレイリストに対応付けて記憶し、前記表示手段は、プレイリストに従って静止画の再生を行う際に、該プレイリストで指定される音声データを再生することを特徴とする請求項１記載の静止画再生装置。
【請求項７】
前記指定手段は、プレイリストに含まれる各静止画毎に、該静止画の再生中に再生される音声データを任意に指定し、前記プレイリスト記憶手段は、各静止画に対して音声データの指定情報をプレイリストに記憶し、前記再生手段は、プレイリストに従った静止画の再生の際に、各静止画に対応する音声データを再生することを特徴とする請求項１記載の静止画再生装置。
【請求項８】
前記プレイリスト記憶手段は、前記記憶されている複数の静止画データの中から選択された任意の静止画データに、音声データ再生時の音量を対応付けて記憶することを特徴とする請求項６または７記載の静止画再生装置。
【請求項９】
撮影された静止画データを静止画記憶手段に複数記憶する静止画記憶ステップと、
前記記憶されている複数の静止画データの中から、任意の静止画データを選択するとともに、この選択された静止画の読み出し順番を任意に指定する指定ステップと、
前記指定ステップにおいて選択及び指定された情報をプレイリストとしてプレイリスト記憶手段に複数記憶するプレイリスト記憶ステップと、
前記プレイリスト記憶手段に記憶されている複数のプレイリストの中から任意のプレイリストを指定して再生を指示する再生指示ステップと、
前記再生指示ステップにおいてプレイリストの指定と共に再生が指示された場合に、該プレイリストで指定された静止画を、指定された順番で前記静止画記憶手段から逐次読み出す読み出しステップと、
前記読み出しステップにおいて逐次読み出される各静止画データを、切り換えながら逐次表示する表示ステップと、
を具備することを特徴とする静止画再生方法。
【請求項１０】
被写体を撮影して静止画データを取得する撮影手段を有することを特徴とする請求項１から９のいずれか１つに記載のカメラ。
【請求項１１】
被写体を撮影して静止画データを取得する撮影手段と、
取得した静止画データを複数記憶する静止画記憶手段と、
前記記憶されている複数の静止画データの中から、任意の静止画データを選択するとともに、この選択された静止画の読み出し順番を任意に指定する指定手段と、
前記指定手段により選択及び指定された情報をプレイリストとして複数記憶するプレイリスト記憶手段と、
前記プレイリスト記憶手段に記憶されている複数のプレイリストの中から任意のプレイリストを指定して再生を指示する再生指示手段と、
前記再生指示手段によりプレイリストの指定と共に再生が指示された場合に、該プレイリストで指定された静止画を、指定された順番で前記静止画記憶手段から逐次読み出す読み出し手段と、
前記読み出し手段により逐次読み出される各静止画データを、切り換えながら逐次表示する表示手段と、
を具備することを特徴とするカメラ。
【発明の詳細な説明】
【技術分野】
【０００１】
本発明は、静止画再生装置、静止画再生方法、並びにカメラに関する。
【背景技術】
【０００２】
例えば、ディジタルカメラを例に取ると、画像の再生を行う場合には撮影した順番（もしくはその逆）にキー操作を用いて表示されるか、もしくは同様の順番で自動的に表示されるようになっている。これは、銀塩カメラにおいて撮影した画像がフィルム上に順番に記録されるのと同じであり、多くの使用者になじんでいる一般的な様式である。
【０００３】
特開２００２−１９９３３９号公報は、撮影画像を記録媒体に記録するたびに単純カットの連結として自動的にプレイリストを作成し、再生時に、記録媒体に記録される画像のプレイリストがあるかどうかを検索し、なければ記憶媒体を検索することにより、プレイリストの使い勝手を改善することを開示している。
【特許文献１】特開２００２−１９９３３９号公報
【発明の開示】
【発明が解決しようとする課題】
【０００４】
しかしながら、上記した特開２００２−１９９３３９号公報を含む従来技術には、撮影した順序や枚数などによらず、任意の枚数の静止画を任意の順番に再生することについては何らの開示もしていない。
【０００５】
本発明は、このような課題に着目してなされたものであり、その目的とするところは、撮影した順序や枚数などによらず、任意の枚数の静止画を任意の順番に再生することができる静止画再生装置、静止画再生方法、並びにカメラを提供することにある。
【課題を解決するための手段】
【０００６】
上記の目的を達成するために、本発明の第１の態様は、静止画再生装置であって、撮影された静止画データを複数記憶する静止画記憶手段と、前記記憶されている複数の静止画データの中から、任意の静止画データを選択するとともに、この選択された静止画の読み出し順番を任意に指定する指定手段と、前記指定手段により選択及び指定された情報をプレイリストとして複数記憶するプレイリスト記憶手段と、前記プレイリスト記憶手段に記憶されている複数のプレイリストの中から任意のプレイリストを指定して再生を指示する再生指示手段と、前記再生指示手段によりプレイリストの指定と共に再生が指示された場合に、該プレイリストで指定された静止画を、指定された順番で前記静止画記憶手段から逐次読み出す読み出し手段と、前記読み出し手段により逐次読み出される各静止画データを、切り換えながら逐次表示する表示手段とを具備する。
【０００７】
また、本発明の第２の態様は、第１の態様において、前記指定手段は、ユーザによる進む／戻るの指示を含み、前記読み出し手段は、ユーザによる進む／戻るの指示操作に応じて、プレイリストで指定される静止画を指定される順番で読み出し、前記表示手段は、逐次読み出される各静止画データを、ユーザによる進む／戻るの指示操作に応じて切り換えながら逐次表示する。
【０００８】
また、本発明の第３の態様は、第１の態様において、前記表示手段は、前記読み出し手段により逐次読み出される各静止画データを、予め設定された所定の時間間隔で切り換えながら逐次表示する。
【０００９】
また、本発明の第４の態様は、第１の態様において、前記指定手段は、プレイリストに含まれる各静止画毎にその再生時間を指定し、前記表示手段は、前記読み出し手段によって逐次読み出される静止画データを、各静止画毎に指定される時間の間表示した後に、次の静止画を表示する。
【００１０】
また、本発明の第５の態様は、第１の態様において、前記表示手段は、設定対象となるプレイリストに含まれる静止画の一部または全体を、その再生順がわかるようにプレイリスト設定画面上に表示するとともに、該プレイリストへの追加候補となる複数の静止画を前記プレイリスト設定画面上に表示し、ユーザが該プレイリストに追加する静止画と、その挿入位置を前記プレイリスト設定画面上で指定することを促す。
【００１１】
また、本発明の第６の態様は、第１の態様において、音声データを複数記憶する音声記憶手段をさらに具備し、前記プレイリスト記憶手段は、前記指定手段により選択した音声データの指定情報をプレイリストに対応付けて記憶し、前記表示手段は、プレイリストに従って静止画の再生を行う際に、該プレイリストで指定される音声データを再生する。
【００１２】
また、本発明の第７の態様は、第１の態様において、前記指定手段は、プレイリストに含まれる各静止画毎に、該静止画の再生中に再生される音声データを任意に指定し、前記プレイリスト記憶手段は、各静止画に対して音声データの指定情報をプレイリストに記憶し、前記再生手段は、プレイリストに従った静止画の再生の際に、各静止画に対応する音声データを再生する。
【００１３】
また、本発明の第８の態様は、第６または７の態様において、前記プレイリスト記憶手段は、前記記憶されている複数の静止画データの中から選択された任意の静止画データに音声データ再生時の音量を対応付けて記憶する。
【００１４】
また、本発明の第９の態様は、静止画再生方法であって、撮影された静止画データを静止画記憶手段に複数記憶する静止画記憶ステップと、前記記憶されている複数の静止画データの中から、任意の静止画データを選択するとともに、この選択された静止画の読み出し順番を任意に指定する指定ステップと、前記指定ステップにおいて選択及び指定された情報をプレイリストとしてプレイリスト記憶手段に複数記憶するプレイリスト記憶ステップと、前記プレイリスト記憶手段に記憶されている複数のプレイリストの中から任意のプレイリストを指定して再生を指示する再生指示ステップと、前記再生指示ステップにおいてプレイリストの指定と共に再生が指示された場合に、該プレイリストで指定された静止画を、指定された順番で前記静止画記憶手段から逐次読み出す読み出しステップと、前記読み出しステップにおいて逐次読み出される各静止画データを、切り換えながら逐次表示する表示ステップと、を具備する。
【００１５】
また、本発明の第１０の態様は、第１から第９の態様において、被写体を撮影して静止画データを取得する撮影手段を有する。
【００１６】
また、本発明の第１１の態様は、被写体を撮影して静止画データを取得する撮影手段と、取得した静止画データを複数記憶する静止画記憶手段と、前記記憶されている複数の静止画データの中から、任意の静止画データを選択するとともに、この選択された静止画の読み出し順番を任意に指定する指定手段と、前記指定手段により選択及び指定された情報をプレイリストとして複数記憶するプレイリスト記憶手段と、前記プレイリスト記憶手段に記憶されている複数のプレイリストの中から任意のプレイリストを指定して再生を指示する再生指示手段と、前記再生指示手段によりプレイリストの指定と共に再生が指示された場合に、該プレイリストで指定された静止画を、指定された順番で前記静止画記憶手段から逐次読み出す読み出し手段と、前記読み出し手段により逐次読み出される各静止画データを、切り換えながら逐次表示する表示手段と、を具備する。
【発明の効果】
【００１７】
請求項１記載の発明によれば、撮影した順序や枚数などによらず、任意の枚数の静止画を任意の順番に再生することができる。
【００１８】
請求項２記載の発明によれば、ユーザは単純な指示操作のみで、撮影した順序や枚数などによらず、任意の枚数の静止画を任意の順番に再生することができる。
【００１９】
請求項３記載の発明によれば、撮影した順序や枚数などによらず、任意の枚数の静止画を任意の順番に予め設定された所定の時間間隔で再生することができる。
【００２０】
請求項４記載の発明によれば、撮影した順序や枚数などによらず、任意の枚数の静止画を任意の順番に指定された再生時間だけ再生することができる。
【００２１】
請求項５記載の発明によれば、ユーザは、撮影した順序や枚数などによらず、任意の枚数の静止画を任意の順番に再生する設定を、表示画面と対話しながら簡単な操作で行うことができる。
【００２２】
請求項６記載の発明によれば、撮影した順序や枚数などによらず、任意の枚数の静止画を任意の順番に、プレイリストに対応付けられた音声データとともに再生することができる。
【００２３】
請求項７記載の発明によれば、撮影した順序や枚数などによらず、任意の枚数の静止画を任意の順番に、各静止画に対応付けられた音声データとともに再生することができる。
【００２４】
請求項８記載の発明によれば、請求項７または８記載の発明の効果に加えて、音声データの再生をユーザの好みに合わせた指定された音量で行うことができる。
【００２５】
請求項９記載の発明によれば、撮影した順序や枚数などによらず、任意の枚数の静止画を任意の順番に再生することができる。
【００２６】
請求項１０記載の発明によれば、撮影した順序や枚数などによらず、任意の枚数の静止画を任意の順番に再生することができる。
【００２７】
請求項１１記載の発明によれば、撮影した順序や枚数などによらず、任意の枚数の静止画を任意の順番に再生することができる。
【発明を実施するための最良の形態】
【００２８】
以下、図面を参照して本発明の実施の形態について説明する。
【００２９】
図１は、本発明が適用されるディジタルカメラ等のカメラ装置１の構成を示すブロック図である。
【００３０】
図１に示すカメラ装置１において、基本モードである撮影モードにおいては、レンズ光学系において、モータ（Ｍ）１０の駆動により絞り位置や通常撮影に応じたレンズ位置に撮影レンズ１１が移動される。撮影レンズ１１の撮影光軸後方に配置された撮像素子であるＣＣＤ（Charge Coupled Device）１２は、タイミング発生器（ＴＧ）１３、垂直ドライバ１４によって走査駆動され、一定周期毎に結像した光像に対応する光電変換出力を１画面分出力する。
【００３１】
この光電変換出力は、アナログ値の信号の状態でＲＧＢの各原色成分毎に適宜ゲイン調整された後に、サンプルホールド（Ｓ／Ｈ）回路１５でサンプルホールドされ、Ａ／Ｄ変換器１６でデジタルデータに変換され、さらにカラープロセス回路１７で画素補間処理及びγ補正処理を含むカラープロセス処理が行なわれて、デジタル値の輝度信号Ｙ及び色差信号Ｃｂ，Ｃｒが生成され、ＤＭＡ（Direct Memory Access）コントローラ１８に出力される。
【００３２】
ＤＭＡコントローラ１８は、カラープロセス回路１７の出力する輝度信号Ｙ及び色差信号Ｃｂ，Ｃｒを、同じくカラープロセス回路１７からの複合同期信号、メモリ書込みイネーブル信号、及びクロック信号を用いて一度ＤＭＡコントローラ１８内部のバッファに書込み、ＤＲＡＭインタフェース（Ｉ／Ｆ）２０を介してバッファメモリとして使用されるＤＲＡＭ２１にＤＭＡ転送を行なう。
【００３３】
制御部２５は、ＣＰＵと、該ＣＰＵで実行される動作プログラムやデータ等を固定的に記録したＲ０Ｍ、及びワークメモリとして使用されるＲＡＭ等により構成され、このカメラ装置１全体の制御動作を司る。
【００３４】
制御部２５は、輝度及び色差信号のＤＲＡＭ２１へのＤＭＡ転送終了後に、この輝度及び色差信号をＤＲＡＭインタフェース２０を介してＤＲＡＭ２１より読み出し、ＶＲＡＭコントローラ２６を介してＶＲＡＭ２７に書込む。
【００３５】
デジタルビデオエンコーダ２８は、輝度及び色差信号をＶＲＡＭコントローラ２６を介してＶＲＡＭ２７より定期的に読み出し、これらのデータを元にビデオ信号を発生して表示部２９に出力する。
【００３６】
表示部２９は、撮影モード時にはモニタ表示部（電子ファインダ）として機能し、デジタルビデオエンコーダ２８からのビデオ信号に基づいた表示を行なうことで、その時点でＶＲＡＭコントローラ２６から取込んでいる画像情報に基づく画像（スルー画像）をリアルタイムに表示することになる。
【００３７】
表示部２９にスルー画像がリアルタイムに表示されている表示状態で、静止画を撮影するタイミングでキー入力部３７のシャッタキーが操作されると、トリガ信号を発生する。
【００３８】
制御部２５は、このトリガ信号に応じてその時点でＣＣＤ１２の駆動を停止した後、自動露出処理を実行して適正な露出値を得て、レンズ光学系の絞りとＣＣＤ１２の露光時間を制御してあらためて撮像を実行させる。
【００３９】
こうして新たに得られた１フレーム分の静止画データがＤＲＡＭ２１にＤＭＡ転送されて書込まれた後、制御部２５がＤＲＡＭ２１に書込まれている１フレーム分の静止画データを読み出して画像処理部３０に書込む。画像処理部３０では、ＪＰＥＧ（Joint Photographic Experts Group）により静止画データを符号化する。
【００４０】
符号化された静止画データは、カメラ装置１の記録媒体として着脱自在に装着されているメモリカード３２、あるいはメモリカード３２が装着されていない場合は固定的に内蔵されている内蔵メモリ３３に書き込まれる。
【００４１】
そして、１フレーム分のメモリカード３２または内蔵メモリ３３への静止画データの書込み終了に伴なって、制御部２５は、ＣＣＤ１２からＤＲＡＭ２１を経由したスルー画像を表示部２９においてモニタ表示させる駆動を再開する。
【００４２】
また、制御部２５には、キー入力部３７、音声処理部４０、ストロボ駆動部４１が接続される。
【００４３】
キー入力部３７は、電源キー、シャッタキー、モードスイッチ、メニューキー、選択キー、ズームボタン、及び十字キー（カーソルキー）等から構成され、それらのキー操作に伴なう信号は制御部２５へ直接送出される。
【００４４】
音声処理部４０は、ＰＣＭ音源等の音源回路を備え、音声の録音時にはマイクロホン部（ＭＩＣ）４２より入力された音声信号をデジタル化し、所定のデータファイル形式、例えばＭＰ３（MPEG-1 Audio Layer-3）規格に従ってデータ圧縮して音声データファイルを作成してメモリカード３２または内蔵メモリ３３へ送出する一方、音声の再生時にはメモリカード３２または内蔵メモリ３３から送られてきた音声データファイルの圧縮を解いてアナログ化し、スピーカ部（ＳＰ）４３を駆動して、拡声放音させる。
【００４５】
さらに音声処理部４０は、制御部２５からの制御に基づいて、各種動作音、例えばシャッタキーの操作に伴う擬似的なシャッタ音、他のキーの操作に伴うビープ音等も発生してスピーカ部４３より拡声放音させる。
【００４６】
ストロボ駆動部４１は、静止画像撮影時に図示しないストロボ用の大容量コンデンサを充電した上で、制御部２５からの制御に基づいてストロボ発光部４５を閃光駆動する。
【００４７】
（第１実施形態）
図２は、本発明の第１実施形態に係る静止画再生方法の手順を説明するフローチャートである。まず、撮影された静止画データを静止画記憶手段としての例えばメモリカード３２に複数記憶する（ステップＳ１）。次に、指定手段としてのキー入力部３７により、メモリカード３２に記憶されている複数の静止画データの中から、任意の静止画データを選択するとともに、この選択された静止画の読み出し順番を任意に指定する（ステップＳ２）。次に、キー入力部３７により選択及び指定された情報をプレイリストとしてプレイリスト記憶手段としてのメモリカード３２に複数記憶する（ステップＳ３）。次に、再生指示手段としてのキー入力部３７により、メモリカード３２に記憶されている複数のプレイリストの中から任意のプレイリストを指定して再生を指示する（ステップＳ４）。次に、キー入力部３７によりプレイリストの指定と共に再生が指示された場合に、読み出し手段としての制御部２５により、該プレイリストで指定された静止画を、指定された順番でメモリカード３２から逐次読み出す（ステップＳ５）。次に、表示手段としての制御部２５は、逐次読み出される各静止画データを切り換えながら表示部２９に逐次表示する（ステップＳ６）。
【００４８】
上記した第１実施形態によれば、撮影した順序や枚数などによらず、任意の枚数の静止画を任意の順番に再生することができる。
【００４９】
（第２実施形態）
以下に、本発明の第２実施形態を図３を参照して説明する。第１実施形態（図２）のステップＳ２では、ユーザはキー入力部３７を介してメモリカード３２に記憶されている複数の静止画データの中から任意の静止画を選択し、選択された静止画の読み出し順番を任意に指定したが、第２実施形態では、ユーザは、キー入力部３７を操作して進む／戻るの指示操作により、プレイリストで指定される静止画を読み出すときの順番を指定することができる（ステップＳ２−１）。これにより、制御部２５は、プレイリストで指定される静止画を予め与えられたユーザによる進む／戻るの指示に応じた順番で読み出し（ステップＳ５−１）、逐次読み出される各静止画データを切り換えながら表示部２９に逐次表示する（ステップＳ６−１）。
【００５０】
上記した第２実施形態によれば、ユーザは単純な指示操作のみで、撮影した順序や枚数などによらず、任意の枚数の静止画を任意の順番に再生することができる。
【００５１】
（第３実施形態）
以下に、本発明の第３実施形態を図４を参照して説明する。第１実施形態（図２）のステップＳ２では、ユーザはキー入力部３７を介してメモリカード３２に記憶されている複数の静止画データの中から任意の静止画を選択し、選択された静止画の読み出し順番を任意に指定したが、第３実施形態ではこれに加えて、ユーザは、キー入力部３７を操作して、逐次読み出される各静止画データを切り換え表示するときの時間間隔を指定することができる（ステップＳ２−１−１）。これにより、制御部２５は、逐次読み出される各静止画データを、予め設定された所定の時間間隔で切り換えながら表示部２９に逐次表示する（ステップＳ６−２）。
【００５２】
上記した第３実施形態によれば、撮影した順序や枚数などによらず、任意の枚数の静止画を任意の順番に予め設定された所定の時間間隔で再生することができる。
【００５３】
（第４実施形態）
以下に、本発明の第４実施形態を図５を参照して説明する。第１実施形態（図２）のステップＳ２では、ユーザはキー入力部３７を介してメモリカード３２に記憶されている複数の静止画データの中から任意の静止画を選択し、選択された静止画の読み出し順番を任意に指定したが、第３実施形態ではこれに加えて、ユーザは、キー入力部３７を操作して、静止画を再生するときの再生時間をプレイリストに含まれる各静止画毎に予め指定することができる（ステップＳ２−２）。これにより、制御部２５は、逐次読み出される静止画データを、各静止画毎に指定される時間の間表示した後に、次の静止画を表示する（ステップＳ６−３）。
【００５４】
上記した第４実施形態によれば、撮影した順序や枚数などによらず、任意の枚数の静止画を任意の順番に指定された再生時間だけ再生することができる。
【００５５】
（第５実施形態）
以下に、本発明の第５実施形態を図６を参照して説明する。第１実施形態（図２）のステップＳ２では、ユーザはキー入力部３７を介してメモリカード３２に記憶されている複数の静止画データの中から任意の静止画を選択し、選択された静止画の読み出し順番を任意に指定したが、第５実施形態ではこれに加えて、ユーザは設定画面を参照しながらキー入力部３７によりプレイリストの設定を行うことができる。まず、制御部２５は、設定対象となるプレイリストに含まれる静止画の一部または全体を、その再生順がわかるようにプレイリスト設定画面上に表示する（ステップＳ２−３）とともに、該プレイリストへの追加候補となる複数の静止画を前記プレイリスト設定画面上に表示する（ステップＳ２−４）。ユーザは、このようなプレイリスト設定画面を参照して、プレイリストに追加したい静止画とその挿入位置を指定する（ステップＳ２−５）。この実施形態の具体例については後述する。
【００５６】
上記した第５実施形態によれば、ユーザは、撮影した順序や枚数などによらず、任意の枚数の静止画を任意の順番に再生する設定を、表示画面と対話しながら簡単な操作で行うことができる。
【００５７】
（第６実施形態）
以下に、本発明の第６実施形態を図７を参照して説明する。第１実施形態（図２）のステップＳ１では、撮影された複数の静止画データをメモリカード３２に記憶したが、第６実施形態では、静止画データのみならず音声データをもメモリカード３２に複数記憶される（ステップＳ１−１）。同様にして、キー入力部３７を介してユーザにより選択された、音声データの指定情報がプレイリストに対応付けられてメモリカード３２に記憶される（ステップ３−１）。そして、静止画の再生を行う際に、該プレイリストで指定される音声データを再生する（ステップ６−４）。
【００５８】
上記した第６実施形態によれば、撮影した順序や枚数などによらず、任意の枚数の静止画を任意の順番に、プレイリストに対応付けられた音声データとともに再生することができる。
【００５９】
（第７実施形態）
以下に、本発明の第７実施形態を図８を参照して説明する。第６実施形態では、静止画データに加えて、プレイリストに対応付けて音声データを記憶したが、第７実施形態では、プレイリストに含まれる各静止画毎に音声データを対応付けて記憶することを特徴とする。すなわち、プレイリストに含まれる各静止画毎に、該静止画の再生中に再生される音声データを任意に指定して記憶するとともに（ステップＳ２−６）、各静止画に対して音声データの指定情報をプレイリストに記憶する（ステップＳ３−２）。そして、プレイリストに従った静止画の再生を行う際に、各静止画に対応する音声データを共に再生するようにする（ステップＳ６−５）。
【００６０】
上記した第７実施形態によれば、撮影した順序や枚数などによらず、任意の枚数の静止画を任意の順番に、各静止画に対応付けられた音声データとともに再生することができる。
【００６１】
なお、音声データを再生するときの音量を再生される静止画に対応して指定、記憶するようにしてもよい。これによって、音声データの再生をユーザの好みに合わせた指定された音量で行うことができる。
【００６２】
（第５実施形態の具体例））
以下に、上記したプレイリストの設定に関わる第５実施形態の具体例を説明する。図９（Ａ）〜（Ｅ）は、上記したプレイリスト設定操作の具体例を示している。ここでの設定操作は、ユーザがキー入力部３７の十字キー等を操作することにより行われるものとする。まず、表示部２９に表示された図９（Ａ）に示すような再生メニューから、ユーザがプレイリスト設定（斜線部分）を選択すると、記憶されている全体のプレイリスト（図ではプレイリスト１〜５）と、「プレイリストを選択してください。」の文字を含む、プレイリスト選択の画面が表示される（図７（Ｂ））。ここでユーザがプレイリスト２（斜線部分）を選択すると、選択されたプレイリスト２に登録された画像（ここでは「２５」，「７」）が画面の上段に表示されるとともに、カメラ装置１で再生可能なようにメモリカード３２に記録された、プレイリストには登録されていない画像のリスト（ここでは「１２」、「１３」、「１４」）が画面の下段に表示される。画面中央部には設定ボタン１００が表示される。表示画像はユーザによるキー操作によって進めたり戻したりすることができる。ユーザは、このような操作によって、プレイリスト２の複数画像の所望の位置に設定ボタン１００がくるようにする（ここでは「２５」と「７」の間）とともに、設定を希望する任意の画像（ここでは太枠で表示されている「１３」）をメモリカード３２の画像から選択すると、「１３」が「２５」と「７」の間に挿入される（図７（Ｄ））。この後、設定を継続するか否かを確認するために、「設定を終了しますか？」のメッセージと、「ＹＥＳ」、「ＮＯ」のボタンが表示される（（図７（Ｅ））。ここで「ＹＥＳ」ボタンを選択すると設定動作を終了し、「ＮＯ」ボタンを選択すると設定動作を継続する。
【００６３】
次に、図１０（Ａ）〜（Ｄ）を参照して、プレイリスト再生操作の具体例を説明する。まず、表示部２９に表示された図１０（Ａ）に示すような再生メニューから、ユーザがプレイリスト再生（斜線部分）を選択すると、記憶されている全体のプレイリスト（図ではプレイリスト１〜５）と、「プレイリストを選択してください。」の文字を含む、プレイリスト選択の画面が表示される（図１０（Ｂ））。ここでユーザがプレイリスト２（斜線部分）を選択すると、選択されたプレイリスト２に登録された画像が画面全体に表示される（図１０（Ｃ））。ユーザがキー入力部３７を操作してプレイリスト２の画像のうち所望の画像（ここでは太枠で表示されている「１３」）を選択すると、選択された画像「１３」が画面全体に表示される（図１０（Ｄ））。
【図面の簡単な説明】
【００６４】
【図１】本発明が適用されるディジタルカメラ等のカメラ装置１の構成を示すブロック図である。
【図２】本発明の第１実施形態に係る静止画再生方法の手順を説明するフローチャートである。
【図３】本発明の第２実施形態を説明する図である。
【図４】本発明の第３実施形態を説明する図である。
【図５】本発明の第４実施形態を説明する図である。
【図６】本発明の第５実施形態を説明する図である。
【図７】本発明の第６実施形態を説明する図である。
【図８】本発明の第７実施形態を説明する図である。
【図９】プレイリスト設定操作の具体例を説明する図である。
【図１０】プレイリスト再生操作の具体例を説明する図である。
【符号の説明】
【００６５】
１…カメラ装置、
２１…ＤＲＡＭ、
２５…制御部、
２９…表示部、
３７…キー入力部。
【図１】
2006186932.tif 000003
【図２】
2006186932.tif 000004
【図３】
2006186932.tif 000005
【図４】
2006186932.tif 000006
【図５】
2006186932.tif 000007
【図６】
2006186932.tif 000008
【図７】
2006186932.tif 000009
【図８】
2006186932.tif 000010
【図９】
2006186932.tif 000011
【図１０】
2006186932.tif 000012